(57)【要約】【課題】本発明は、電磁干渉を効果的に抑えることができる静電気発生器の検査装置を提供する。【解決手段】待機中の静電気発生器の性能を検査する静電気発生器の検査装置において、開口を有する収容部が設けられた本体と、前記本体の一つの側面に設けられ、前記収容部に嵌め合わせられて、外部の高電磁シールド部材の干渉を抑制させる検査環境を形成させる蓋板とを有するシールド部材と、前記収容部に設けられ、前記電波受信部材と連接し、待機中の前記静電気発生器を通して送られてきた前記電波受信部材が受信した静電気信号の波形に対して検査または分析し、前記静電気発生器が基準を満たしているかどうかを判定するオシロスコープと、前記本体に設けられ、待機中の前記静電気発生器と前記オシロスコープに連接される電波受信部材と、を備えることを特徴とする静電気発生器の検査装置。【選択図】図１
2013015510.tif 000002
【特許請求の範囲】
【請求項１】
待機中の静電気発生器の性能を検査する静電気発生器の検査装置において、
開口を有する収容部が設けられた本体と、前記本体の一つの側面に設けられ、前記収容部に嵌め合わせられて、外部の高電磁シールドを抑制した検査環境を形成する蓋板とを有するシールド部材と、
前記収容部に設けられ、電波受信部材と連接し、待機中の前記静電気発生器を通して送られてきた、前記電波受信部材が受信した静電気信号の波形を検査または分析して、前記静電気発生器が基準を満たしているかどうかを判定するオシロスコープと、
前記本体に設けられ、待機中の前記静電気発生器と前記オシロスコープとに連接される前記電波受信部材と、を備えることを特徴とする静電気発生器の検査装置。
【請求項２】
前記静電気発生器の検査装置は、前記収容部に装設されたパワーフィルターを備え、前記パワーフィルターの一端は外部の電源と接続され、別の一端は前記オシロスコープと接続されて、外部の電源に対して濾過処理を行い、純粋な電源信号を前記オシロスコープに送ることを特徴とする請求項１に記載の静電気発生器の検査装置。
【請求項３】
前記収容部内には支持板が設けられ、前記支持板の両端は、前記パワーフィルターと前記オシロスコープとを支持するために、前記収容部内の相対する二つの側壁にそれぞれ設置固定されることを特徴とする請求項２に記載の静電気発生器の検査装置。
【請求項４】
前記本体の底面には、前記静電気発生器の検査装置が移動できるように、複数のキャスターが取り付けられていることを特徴とする請求項１〜３のいずれか一項に記載の静電気発生器の検査装置。
【請求項５】
前記本体の一つの外縁には溝が設けられ、前記蓋板の、前記収容部と対向する一つの側面には、前記溝に嵌め合わせられる嵌合部が設けられ、前記蓋板が前記本体に取り付けられる際、前記嵌合部が前記溝内面に嵌入されることによって、前記蓋板と前記本体との間にできる間隙が密封され、前記収容部内に完全に密封された検査環境が作られ、高電磁シールドの性能が形成されることを特徴とする請求項１〜４のいずれか一項に記載の静電気発生器の検査装置。
【請求項６】
前記本体には開口が開設され、前記開口の内側には、複数の銅線が交差して構成された銅線網が設置されて前記シールド部材の電磁シールド性を高め、使用者が前記収容部内に設置された前記オシロスコープを観察または操作できるように、透明な観察窓が前記開口内の前記銅線網の上面に嵌設されることを特徴とする請求項１〜５に記載の静電気発生器の検査装置。
【請求項７】
前記本体に切欠口と支承板とが設けられ、マウスの線を前記切欠口に貫通させて、前記収容部に装設された前記オシロスコープ３０に連接させ、マウスを利用して前記オシロスコープ３０を操作し、前記支承板は、前記本体の一つの側面に設置固定されてマウスを支承し、マウスの操作を便利にすることを特徴とする請求項１〜６に記載の静電気発生器の検査装置。
【請求項８】
前記蓋板には取手が設置され、前記シールド部材１０の開閉が容易であることを特徴とする請求項１〜７に記載の静電気発生器の検査装置。
【発明の詳細な説明】
【技術分野】
【０００１】
本発明は、静電気発生器の検査装置に関するものである。
【背景技術】
【０００２】
現在、静電気発生器の製造後には、前記静電気発生器の電圧または電流特性に対する検査を行って、前記静電気発生器が基準を満たすかどうかを判定する。この検査の過程において、外部からの電磁輻射が、前記検査を干渉しないようにしなければならない。しかし、従来の静電気発生器の検査装置では、この電磁干渉を効果的に抑えることができない。
【発明の概要】
【発明が解決しようとする課題】
【０００３】
以上の問題点に鑑みて、本発明は、電磁干渉を効果的に抑えることができる静電気発生器の検査装置を提供することを目的とする。
【課題を解決するための手段】
【０００４】
前記目的を達成するために、本発明に係る静電気発生器の検査装置は、待機中の静電気発生器に対してその性能の検査を行い、前記静電気発生器の検査装置は、開口を有する収容部が設けられた本体と、前記本体の一つの側面に設けられ、前記収容部に嵌め合わせられて、外部の高電磁シールドの干渉を抑制した検査環境を形成する蓋板と、を有するシールド部材と、前記本体に設けられ、待機中の静電気発生器とオシロスコープとを連接する電波受信部材と、前記収容部に設けられ、前記電波受信部材と連接し、待機中の前記静電気発生器を通して送られてきた前記電波受信部材が受信した前記静電気信号の波形に対して検査または分析をして、前記静電気発生器が基準を満たしているかどうかを判定するオシロスコープと、を備える。
【発明の効果】
【０００５】
本発明に係る静電気発生器の検査装置において、前記シールド部材によって、待機中の前記オシロスコープ及び静電気発生器は隔てられているため、待機中の前記静電気発生器の電磁輻射は前記オシロスコープの検査に干渉せず、且つ待機中の前記静電気発生器の性能を正確に検査することができる。また、前記静電気発生器の検査装置には、使用者が前記オシロスコープを確認または操作できるように、観察窓が設置されている。従って、容易に観察及び操作ができ、非常に便利である。
【図面の簡単な説明】
【０００６】
【図１】本発明の実施形態に係る静電気発生器の検査装置の斜視図である。
【図２】図１に示した本発明の実施形態に係る静電気発生器の検査装置を、別の視点から見た図である。
【発明を実施するための形態】
【０００７】
以下、図面に基づいて、本発明に係る静電気発生器の検査装置について詳細に説明する。
【０００８】
図１〜図２に示したように、本発明に係る静電気発生器の検査装置１００は、シールド部材１０と、電波受信部材２０及びオシロスコープ３０と、本体１１及び蓋板１２とを備える。前記本体１１は、金属などの高導電率を有する材料から製造されているため、シールド部材１０における電磁シールドの性能を高めることができる。
【０００９】
また、前記本体１１は、側壁１１１及び周壁１１２を備える。前記側壁１１１は、矩形の板状であり、且つその周辺に前記周壁１１２が設けられており、前記側壁１１１と前記周壁１１２とは直交する。これにより、前記側壁１１１及び周壁１１２内には、その一方が開口した収容部１１３が形成される。また、前記収容部１１３には、オシロスコープ３０、及び前記オシロスコープ３０を支持するための支持板１１４が設けられる。前記支持板１１４は矩形の板状であり、その両端は、前記収容部１１３の相対する二つの側面にそれぞれ固定される。前記周壁１１２には、接続口１１５が穿設され、前記接続口１１５を通して、前記静電気発生器の検査装置１００は外部電源に接続される。また、一つの前記側壁１１１の外縁には、溝１１６が設けられる。
【００１０】
前記蓋板１２は、矩形の板状であり、ステンレス鋼から製造され、その形状及び構造が前記本体１１と合致する。前記蓋板１２の一端は、開閉可能に周壁１１２に取り付けられる。前記蓋板１２の収容部１１３に対向する一つの側面には、前記溝１１６と嵌め合わせられる嵌合部１２１が設けられる。前記嵌合部１２１は、電磁吸収シートなどの電磁波シールド材から製造され、その形状は概ね階段状である。前記蓋板１２を前記本体１１に取り付ける際は、前記嵌合部１２１を前記溝１１６に嵌入させて、前記蓋板１２と前記本体１１との間の間隙を密封する。これにより、前記収容部１１３内に、完全に密封された検査環境が作られ、高電磁シールドがこの中で形成される。
【００１１】
電波受信部材２０は、前記蓋板１２に対向する前記側壁１１１に装設され、待機中の前記静電気発生器と前記オシロスコープ３０と、に連接される。
【００１２】
前記オシロスコープ３０は、前記支持板１１４上に装設された後、データ線（図示せず）を介して前記電波受信部材２０と連接され、待機中の前記静電気発生器は、該電波受信部材２０を介して、この前記受信部材２０が受信した静電気信号を前記オシロスコープ３０へと送信する。次いで前記オシロスコープ３０は該受信した静電気信号を波形に変え、この波形によって検査または分析して静電気発生器が基準を満たすかどうかを判定する。
【００１３】
また、前記静電気発生器の検査装置１００は、パワーフィルター（図示せず）をも備える。前記パワーフィルターは、前記支持板１１４上に装設され、その一端が前記オシロスコープ３０と接続され、別の一端は接続口１１５を介入して外部の電源と接続される。前記パワーフィルターは、外部の電源に対して濾過処理を行い、純粋な電源信号を前記オシロスコープ３０に送る。これにより、外部の電源の前記オシロスコープ３０に対する電源干渉を抑制することができる。
【００１４】
一つの前記周壁１１２は、開口１３が開設され、前記開口１３の内側には、複数の前記銅線１３１が互いに交差することにより構成された銅線網が設置され、前記シールド部材１０の電磁シールド性が高められる。本実施形態においては、一本の銅線１３１の直径は０．７ｍｍであり、前記銅線網の一つの孔の直径は５ｍｍである。また、使用者が、前記収容部１１３内に設置された前記オシロスコープ３０を観察または操作できるように、透明な観察窓１３２が前記開口１３内の前記銅線網の上面に嵌設されている。
【００１５】
前記周壁１１２は、切欠口１４及び支承板１５をも備える。前記切欠口１４は矩形状であり、且つ前記周壁１１２を貫通する。従って、マウス（図示せず）の線を、前記切欠口１４に貫通させて、前記収容部１１３に装設された前記オシロスコープ３０に接続させることができる。これにより、マウスを利用して、前記オシロスコープを操作することができる。また、前記周壁１１２の一つの側面には、マウスの操作が便利なように、前記支承板１５が設置固定される。
【００１６】
前記本体１１の底面には、前記静電気発生器の検査装置１００が移動できるように、複数のキャスター１６が取り付けられている。
【００１７】
前記蓋板１２には、使用者が前記シールド部材１０を容易に開閉できるように、取手１２２が設置されている。
【００１８】
前記静電気発生器の検査装置１００を利用する際、前記取手１２２を掴んで前記シールド部材１０を開け、前記オシロスコープ３０及びパワーフィルターを前記支持板１１４に装設する。次に、データ線を利用して、前記オシロスコープ３０の検査針（図示せず）と前記電波受信部材２０とを連接し、前記オシロスコープ３０の電源接続口及び前記パワーフィルターをも連接させる。この際、必要に応じて、マウス線と前記オシロスコープ３０と、も接続させる。次に、前記蓋板１２を閉じて、前記嵌合部１２１を前記溝１１６に嵌入させ、前記蓋板１２と前記本体１１との間にある間隙を密封する。従って、高電磁シールド性の完全密封型の検査環境が形成される。前記パワーフィルターは、前記接続口１１５を介して外部の電源と連接される。次に、例えば静電エアスプレーガンが前記電波受信部材２０に向けられ、該電波受信部材２０に静電気信号が送信される。次いで、待機している前記静電気発生器は、この静電気信号を受信した前記電波受信部材２０を介して、該静電気の信号を前記オシロスコープ３０に送信する。その後前記オシロスコープ３０は該静電気の信号を分析する。使用者は、前記観察窓１３２を利用して、前記オシロスコープ３０によって検査された該静電気の信号の波形を観察し、マウスによって、対応する操作及び処理を行い、待機中の静電気発生器が基準を満たすかどうかを判定する。
【００１９】
前記静電気発生器の検査装置１００の、待機中の前記オシロスコープ３０及び静電気発生器は、前記シールド部材１０によって隔てられているため、待機中の静電気発生器の電磁輻射は、前記オシロスコープ３０の検査に干渉しない。よって、待機中の静電気発生器の性能を正確に検査することができる。また、前記静電気発生器の検査装置１００には、使用者が前記オシロスコープ３０を確認または操作できるように、前記観察窓１３２が設置されている。従って、容易に観察及び操作ができ、非常に便利である。
【符号の説明】
【００２０】
１００    静電気発生器の検査装置
１０      シールド部材
１１      本体
１１１    側壁
１１２    周壁
１１３    収容部
１１４    支持板
１１５    接続口
１１６    溝
１２      蓋板
１２１    嵌合部
１２２    取手
１３      開口
１３１    銅線
１３２    観察窓
１４      切欠口
１５      支承板
１６      キャスター
２０      電波受信部材
３０      オシロスコープ
【図１】
2013015510.tif 000003
【図２】
2013015510.tif 000004